(57)【要約】【課題】タンデム接続連続紙レーザービームプリンタでの両面印刷において横方向に発生する用紙収縮に対応して印刷位置精度を向上させる。【解決手段】用紙のレーザースキャン方向について、プリンタ制御装置から印刷機構部内レーザー制御部へ送信される画像ドットデータをもとに前側印刷機構のレーザーをオン／オフさせる周期を決定する基準クロックをある比率毎のクロックを使用することにより水平方向の印刷幅拡大が可能で、横方向に用紙収縮に対応した印刷幅の拡大が可能になり、タンデム接続連続紙レーザービームプリンタでの印刷位置精度の向上が図れる。【選択図】図１
2009128548.tif 000002
【特許請求の範囲】
【請求項１】
上位装置から送信される印刷ジョブを受信して印刷を印刷機構部で実行するための画像ドットデータへの描画処理を実行しかつ印刷機構部に画像ドットデータを送出可能にするためのデータ振分けを実行するプリンタ制御部と、
オペレータが操作するためのオペレータパネルと、
印刷を実行するために前記プリンタ制御部から送信される画像ドットデータを受信してレーザーユニット部にある決まった周期で画像ドットデータの送信処理をするレーザー制御部と、
そのレーザー制御部から送信される画像ドットデータによりレーザー光をオン／オフしミラーモータで回転させられるミラーにより感光体上に画像を照射するレーザーユニット部と、
印刷すべき画像を前記レーザーユニット部から照射される感光体ユニットと、前記感光体上のレーザーの照射部にトナーを付着させるための現像機と、感光体から用紙にトナーを転写させるための転写器と、用紙に転写されたトナーを定着させるために熱と圧力を加える定着部とで構成される印刷機構部を備えた連続紙レーザービームプリンタを２台タンデム構成にしたタンデム接続連続紙レーザービームプリンタにおいて、
１台目の前記レーザービームプリンタの定着部を通過することによる用紙の収縮により２台目の前記レーザービームプリンタの印刷機構部で発生する水平方向の印刷幅のずれを微調整する機能を設けたことを特徴とするタンデム接続連続紙レーザービームプリンタ。
【請求項２】
前記水平方向の印刷幅ずれは、前記レーザーのオン／オフ周期を決定する発振器の周波数を変えることにより微調整することができる請求項１記載のタンデム接続連続紙レーザービームプリンタ。
【請求項３】
前記発振器周波数は、用紙幅や印刷幅微調整の分解能により複数個具備し、発振器の周波数に応じて決定される印刷幅をオペレータが選択することができる請求項１記載のタンデム接続連続紙レーザービームプリンタ。
【請求項４】
前記調整は、前記１台目のレーザービームプリンタのレーザーのオン／オフ周期を調整することを特徴とする請求項２記載のタンデム接続連続紙レーザービームプリンタ。
【発明の詳細な説明】
【技術分野】
【０００１】
本発明は、タンデム接続連続紙レーザービームプリンタに関するものである。
【背景技術】
【０００２】
図３，４及び５により、従来のタンデム接続連続紙レーザービームプリンタの動作の一例を説明する。
【０００３】
図３はプリンタ制御部、印刷機構部内レーザー制御部の接続構成図、図４はプリンタ制御部内印刷機構部Ｉ／Ｆ部の概略ブロック図、図５は連続紙レーザービームプリンタの構成図である。
【０００４】
連続紙レーザービームプリンタ１８の印刷機構部２は、用紙装填部１５と、感光体ドラム５と、トナーをドラム５に付着させる現像器１４と、プリンタ制御部１から送信される画像ドットデータを受信してレーザー部１２に送信するレーザー制御部１７と、レーザー部１２と、レーザー光を水平方向にスキャンさせるポリゴンミラー１１と、ポリゴンミラー１１から反射されたレーザー光をドラム５に照射させるための反射鏡１３と、現像器１４からドラム５に付着したトナーを用紙に転写させる転写器８と、用紙に転写されたトナーを定着させるために熱と圧力を加える定着器６と、これら印刷機構部２を制御する印刷機構部制御部３によって構成される。
【０００５】
図２に示すように両面印刷を行うタンデム接続の連続紙レーザービームプリンタ１９は、同一構成の連続紙レーザービームプリンタ１８ａ、１８ｂの間に用紙反転装置２１を接続して構成される。
【０００６】
連続紙レーザービームプリンタ１８は、オペレータがプリンタの状態確認や各種モード設定するためのオペレータパネル２０を備え、例えばクライアントＰＣとネットワークで接続され、各クライアントＰＣから送信される印刷ジョブを解析・編集して印刷機構部２で印刷するための画像ドットデータに描画処理を実行する。
【０００７】
また、画像ドットデータに描画処理を実行する際に、前側印刷機構部２ａで印刷するための画像ドットデータと後側印刷機構部２ｂで印刷するための画像ドットデータに分割して、印刷機構部２おのおののレーザー制御部１２に画像ドットデータを送信する。このとき、プリンタ制御部１の印刷機構部２への画像ドットデータの転送タイミングは、印刷機構部２から送信される水平同期信号により決定され、また、前側印刷機構部２ａと後側印刷機構部２ｂで印刷する頁の前後関係が狂わないように制御して転送される。
【０００８】
プリンタ制御部１と印刷機構部２は、印刷機構部２で印刷を行うためのジョブの情報や印刷機構部２の状態をコマンド・シーケンス情報としてやり取りする。印刷開始や印刷停止、印刷緊急停止などの動作もまたプリンタ制御部１と印刷機構部２との間で印刷シーケンス信号のやり取りを行い制御される。
【０００９】
両面印刷を実行する場合には、前側／後側プリンタ制御部１において、前側印刷機構部２ａで印刷する部分と後側印刷機機構部２ｂで印刷する頁の分割処理を実行する。頁分割処理が終了したならば、印刷開始指示を発行し、前側／後側印刷機構部２に頁分割された画像ドットデータが送信されて印刷が実行される。前側の印刷機構部２ａで印刷された用紙は用紙反転装置２１を介して後側の印刷機構部２ｂの用紙装填部１５ｂへ搬送する。
【００１０】
上記のようにプリンタ制御部１で頁の分割処理が実行され、前側印刷機構部２ａと後側印刷機構部２ｂに分割された画像ドットデータが送信され両面印刷が実行される。
【００１１】
従来のタンデム接続連続紙レーザービームプリンタ１８においては、上記の如く両面印刷を実行すると、前側印刷機構部２ａの印刷時に実行される定着器６ａのトナー定着処理により用紙収縮が発生し、その用紙収縮された状態で後側印刷機構部２ｂで裏面部分の印刷が用紙収縮を考慮しないで印刷されるため、図６に示すような本来印刷されるべき”正常な印刷結果”に対して”印刷幅ずれが発生した場合の印刷結果”に示すような印刷幅ずれが発生した。また、本印刷幅ずれは、用紙のサイズ、特性及び環境により収縮する比率がまちまちであるため、印刷の度に印刷結果が変わってしまう可能性もあった。
【００１２】
【特許文献１】特開２００５−３５２２８号公報
【発明の開示】
【発明が解決しようとする課題】
【００１３】
従来の連続紙レーザービームプリンタの印刷機構部をタンデム接続し、おのおのの印刷機構部にて印刷を実現するタンデム接続連続紙レーザービームプリンタは、前側印刷機構部で印刷が実行されると用紙へのトナー定着を行うため、熱圧縮の定着を通過する。その時に用紙が収縮してしまい後側印刷機構部の印刷を実行するときには、用紙収縮を考慮した画像ドットデータ量になっていないため印刷幅の不一致が発生するという問題があった。
【００１４】
従って両面印刷では表面と裏面のフォントや印刷幅の大きさが異なるという現象となり、片面の２色印刷では前側印刷機構と後側印刷機構の画像が本来あるべき位置からずれるという望ましくない現象が発生する。
【００１５】
本発明の目的は、上記画像ドットデータ数を調整することなく、タンデム接続連続紙レーザービームプリンタでの両面印刷において横方向に発生する用紙収縮に対応して印刷位置精度を向上することのできるタンデム接続連続紙レーザービームプリンタを提供することにある。
【課題を解決するための手段】
【００１６】
上記目的を達成するため本発明は、上位装置から送信される印刷ジョブを受信して印刷を印刷機構部で実行するための画像ドットデータへの描画処理を実行しかつ印刷機構部に画像ドットデータを送出可能にするためのデータ振分けを実行するプリンタ制御部と、
オペレータが操作するためのオペレータパネルと、
印刷を実行するために前記プリンタ制御部から送信される画像ドットデータを受信してレーザーユニット部にある決まった周期で画像ドットデータの送信処理をするレーザー制御部と、
そのレーザー制御部から送信される画像ドットデータによりレーザー光をオン／オフしミラーモータで回転させられるミラーにより感光体上に画像を照射するレーザーユニット部と、
印刷すべき画像を前記レーザーユニット部から照射される感光体ユニットと、前記感光体上のレーザーの照射部にトナーを付着させるための現像機と、感光体から用紙にトナーを転写させるための転写器と、用紙に転写されたトナーを定着させるために熱と圧力を加える定着部とで構成される印刷機構部を備えた連続紙レーザービームプリンタを２台タンデム構成にしたタンデム接続連続紙レーザービームプリンタを対象とするものである。
【００１７】
そして第１の手段は、１台目の前記レーザービームプリンタの定着部を通過することによる用紙の収縮により２台目の前記レーザービームプリンタの印刷機構部で発生する水平方向の印刷幅のずれを微調整する機能を設けたことを特徴とするものである。
【００１８】
本発明の第２の手段は前記第１の手段において、前記水平方向の印刷幅ずれは、前記レーザーのオン／オフ周期を決定する発振器の周波数を変えることにより微調整することができることを特徴とするものである。
【００１９】
本発明の第３の手段は前記第２の手段において、前記発振器周波数は、用紙幅や印刷幅微調整の分解能により複数個具備し、発振器の周波数に応じて決定される印刷幅をオペレータが選択する構成になっていることを特徴とするものである。
【００２０】
本発明の第４の手段は前記第２の手段において、前記調整は、前記１台目のレーザービームプリンタのレーザーのオン／オフ周期を調整することを特徴とするものである。
【発明の効果】
【００２１】
本発明によれば、用紙の横方向の収縮に対して独立して印刷幅の拡大率が選択できるようにしたので、あらゆる用紙サイズに対応して印刷位置精度の向上が図る。
【発明を実施するための最良の形態】
【００２２】
用紙の収縮率は用紙の含水率や種類によって異なるため、使用する用紙の収縮に合わせて前側印刷機構の印刷幅を拡大する。用紙は含水率が大きい用紙ほど収縮が大きいため前側印刷機構での定着での用紙の収縮が大きく、後側印刷機構での印刷は前側印刷機構で定着を行った含水率が小さくなった用紙に印刷および定着を行うため用紙の収縮が小さい。従って前側印刷機構の印刷画像を用紙の収縮が発生して印刷幅が収縮したときに後側印刷機構の印刷幅の大きさに合わせるようにあわせる事が有効である。
【００２３】
前側印刷機構部のプリンタ制御装置から印刷機構部内レーザー制御部へ送信される画像ドットデータによりレーザーをオン／オフさせる１ドット時間を決定する基準クロックをある比率の遅いクロックを使用することにより印刷幅を大きくすることによって水平方向の印刷幅拡大を可能とすることにより解決し、タンデム接続連続紙レーザービームプリンタでの印刷位置精度向上が達成できる。
【００２４】
図１は本発明の実施例に係るプリント制御部内印刷機構部Ｉ／Ｆ部の概略ブロック図、図２は本発明の実施例に係るタンデム接続連続紙レーザービームプリンタの一例の構成を示す図である。
【００２５】
レーザーのスキャン方向（横又は水平方向）は、図１に示すように、プリンタ制御部１から送信される画像ドットデータは印刷機構部２内レーザー制御部１７に接続され、レーザー制御部１７はこの画像ドットデータをもとにレーザー光をオン／オフさせる。
【００２６】
レーザー光をオン／オフさせる画像ドットデータ用発振器４の周波数は、画像ドットデータの１ドットのピッチとポリゴンミラー１１の回転数により決まる。ポリゴンミラーの回転数はある値で固定されているので、印刷幅を微調するためには画像ドットデータの１ドットのピッチを微調すればよい。例えば、印刷密度６００ｄｐｉで画像幅１７インチの印刷を行う場合、１ラインの画像ドット数は、６００（ｄｐｉ）×１７（インチ）＝１０２００ドットとなる。
【００２７】
つまり画像ドットデータの１ドットのピッチは、１７（インチ）＝４３１．８ｍｍなので、１７（インチ）／１０２００（ドット）≒０．０４２３ｍｍとなる。この画像ドットデータの１ドットピッチを例えば０．１％拡大すると０．０４２３４ｍｍとなり、つまり１７インチでは、１０２００（ドット）×０．０４２３４（ｍｍ）≒４３１．９ｍｍとなり結果１７インチの印刷幅を０．１％拡大することができる。ここで、画像ドットデータの１ドットのピッチはレーザー光をオン／オフさせる画像ドットデータ用発振器の周波数により決定される。
【００２８】
従って、このように印刷幅の拡大率に応じて画像ドットデータの１ドットのピッチを微調すること、つまり、従来の連続紙レーザービームプリンタ１８の印刷速度により一義的に決まっていた画像ドットデータ用発振器４の周波数を拡大率に応じて変更することにより印刷幅を微調することができる。
【００２９】
レーザー制御部１７がレーザー光をオン／オフさせる周期を決定するレーザー制御部１７に具備されている画像ドットデータ用発振器４を、従来プリンタの印刷速度で一義的に決まっていた周波数の画像ドットデータ用発振器に加え、例えば用紙の０．１％拡大単位にｎ個の画像ドットデータ用発振器４を持って収縮量に対応して画像ドットデータ用発振器４を選択できるようにする。
【００３０】
画像ドットデータ用発振器４はレーザー光をオン／オフさせる周期を決定し、この周波数を低くすればレーザー光をオン／オフさせる周期が長くなることで印刷幅を長くすることができる。この周波数が高くすればレーザー光をオン／オフさせる周期が短くなることで印刷幅を短くすることができる。
【００３１】
上記に示す画像ドットデータ用発振器４の選択は、オペレータがオペレータパネル２０から選択した用紙縮小量の値に従い動作する。オペレータパネル２０から選択された用紙収縮量の値はプリンタ制御部１から印刷機構部制御部３にコマンド送信される。印刷機構部制御部３ではこの送信されたコマンドから画像ドットデータ用発振器選択データをレーザー制御部１７へ送信する。レーザー制御部１７では印刷機構部制御部３から送信された画像ドットデータ用発振器選択データに従いレーザー制御部１７に具備されている複数の画像ドットデータ用発振器４から該当する縮小量の発振器をレーザー光のオン／オフする周期として使用する。
【００３２】
オペレータがどのくらいの拡大印刷をするかどうかの選択は、実ジョブを印刷前に印刷位置調整用テスト印刷の結果によりオペレータが選択する。例えば、１０００ｍｍ幅の印刷幅を印刷したときの前側レーザービームプリンタ１８ａで印刷された表面と後側レーザービームプリンタ１８ｂで印刷された裏面の印刷幅のずれが１ｍｍであった場合は、前側レーザービームプリンタに拡大率０．１％をオペレータパネル２０から選択する。オペレータが設定したスキャン（横 又は水平）方向の拡大量の実際の印刷結果への反映としては、印刷開始の度にプリンタ制御部１から印刷機構部２に送られるコマンド発行のタイミングで印刷機構部２に転送される。
【００３３】
また、上記横方向の用紙収縮に対応した機能は、図７の片面２色印刷タンデム接続連続紙レーザビームプリンタにおいても前側・後側おのおのの連続紙レーザービームプリンタに適用することにより双方でスキャン方向の位置調整が可能となり、例えばカラートナーを搭載させた後側の連続紙レーザービームプリンタ１８ｂにより前側の連続紙レーザービームプリンタ１８ａで印刷された面と同じ面にスポットカラー印刷する機構を持ったタンデム接続でのスポットカラー印刷においても位置精度向上が可能になる。
【図面の簡単な説明】
【００３４】
【図１】本発明の実施例に係るタンデム接続連続紙レーザービームプリンタのプリント制御部内印刷機構部Ｉ／Ｆ部の概略ブロック図である。
【図２】本発明の実施例に係るタンデム接続連続紙レーザービームプリンタの一例の構成を示す図である。
【図３】本発明の実施例に係るタンデム接続連続紙レーザービームプリンタのプリンタ制御部、印刷機構部内レーザー制御部の概略接続図である。
【図４】従来のタンデム接続連続紙レーザービームプリンタのプリンタ制御部内印刷機構部Ｉ／Ｆ部の概略ブロック図である。
【図５】連続紙レーザービームプリンタの構成図である。
【図６】印刷位置ずれの例を示す図である。
【図７】片面２色印刷タンデム接続連続紙レーザービームプリンタの構成図である。
【符号の説明】
【００３５】
１はプリンタ制御部、２は印刷機構部、３は印刷機構部制御部、４は画像ドットデータ用発振器、５はドラム、６は定着器、８は転写器、１１はポリゴンミラー、１２はレーザー部、１３は反射鏡、１４は現像器、１５は用紙装填部、１７はレーザー制御部、１８は接続連続紙レーザービームプリンタ、１９はタンデム接続連続紙レーザービームプリンタ、２０はオペレータパネル、２１は用紙反転装置。
【図１】
2009128548.tif 000003
【図２】
2009128548.tif 000004
【図３】
2009128548.tif 000005
【図４】
2009128548.tif 000006
【図５】
2009128548.tif 000007
【図６】
2009128548.tif 000008
【図７】
2009128548.tif 000009